(57)【要約】【課題】表示部材の周囲に十分な空きスペースがない場合でも、本体に対して表示部材をガタツキなく適切に取り付けることが可能であり、且つ、表示部材に接続されるケーブルの破損を抑制できる印刷装置を提供する。【解決手段】テーププリンタは、前筐体２１、前筐体２１の内側に固定されたプリント基板４、ＬＣＤ５、プリント基板４とＬＣＤ５とを繋ぐＦＰＣ６６、及び、プリント基板４の後面４Ｂに固定され、プリント基板４のうちＬＣＤ５側の上端４１からＬＣＤ５側へ突出する突出部６１を有する板状部材６を備える。突出部６１は、ＬＣＤ５の側面と接触してＬＣＤ５を付勢する付勢部６２、６３、及び、ＦＰＣ６６と上端４１との間に配置されたガード部６４を有す。【選択図】図３
2016104542.tif 000002
【特許請求の範囲】
【請求項１】
筐体と、
前記筐体の内部で固定されたプリント基板と、
情報を表示可能な表示部材と、
前記プリント基板と前記表示部材とを繋ぐケーブルと、
前記プリント基板の前記ケーブルが繋がれた面に固定され、前記プリント基板のうち前記表示部材側の周縁から前記表示部材側へ突出する突出部を有する板状部材と、
を備え、
前記突出部は、
前記表示部材の側面と接触して前記表示部材を付勢する付勢部と、
前記ケーブルと、前記プリント基板の前記表示部材側の周縁との間に配置されたガード部と、
を有することを特徴とする印刷装置。
【請求項２】
前記付勢部における、前記表示部材側の周端から最も離隔した部分から、前記表示部材側の周端までの間の距離は、第１距離であり、
前記ガード部における前記表示部材側の周端から最も離隔した部分から、前記表示部材側の周端までの間の距離は、前記第１距離よりも短い第２距離であることを特徴とする請求項１に記載の印刷装置。
【請求項３】
前記付勢部は、前記プリント基板に沿って延びる第１仮想平面と交差する第２仮想平面に沿って延びる部分である曲折部を有することを特徴とする請求項１又は２に記載の印刷装置。
【請求項４】
前記付勢部は、
前記ガード部を挟んで対向する一方側付勢部及び他方側付勢部を有することを特徴とする請求項１から３の何れかに記載の印刷装置。
【請求項５】
前記付勢部は、前記表示部材側に延びる延設部を更に有し、
前記曲折部は、前記延設部のうち前記表示部材側の端部に設けられたことを特徴とする請求項３に記載の印刷装置。
【請求項６】
少なくとも前記ガード部は、樹脂で形成されたことを特徴とする請求項１から５の何れかに記載の印刷装置。
【請求項７】
前記ガード部が湾曲したことを特徴とする請求項１から６の何れかに記載の印刷装置。
【請求項８】
前記板状部材は、前記プリント基板の前記ケーブルが繋がれた面に固定される固定部を更に有し、
前記ケーブルは、前記プリント基板の前記ケーブルが繋がれた面のうち、前記固定部に対して前記ガード部側と反対側の部分に繋がれたことを特徴とする請求項１から７の何れかに記載の印刷装置。
【発明の詳細な説明】
【技術分野】
【０００１】
本発明は、情報を表示可能な表示部材を備えた印刷装置に関する。
【背景技術】
【０００２】
液晶ディスプレイ等の表示部材を備えた印刷装置が知られている。表示部材を、印刷装置の本体に対してガタツキなく適切に取り付けるための技術が提案されている。特許文献１は、液晶表示板支持プレートに液晶表示板を取り付けるための技術を開示する。特許文献１において、弾性部材は、液晶表示板支持プレートにビスで固定される。弾性部材は、液晶表示板の他隅部を構成する２つの側面に力を付与する。これによって、液晶表示板の一隅部を構成する２つの側面は、液晶表示板支持プレートから突出する位置決め部材に押し付けられる。これによって、液晶表示板支持プレートに液晶表示板が取り付けられる。
【先行技術文献】
【特許文献】
【０００３】
【特許文献１】特開平５−３３４８６４号公報
【発明の概要】
【発明が解決しようとする課題】
【０００４】
特許文献１に記載された技術では、弾性部材を液晶表示板支持プレートに固定するための十分な空きスペースが、液晶表示板の周囲に必要となる。このため、例えば印刷装置において、表示部材の周囲に十分な空きスペースがない場合、表示部材の周囲に弾性部材を固定できないので、特許文献１に記載された技術を適用できない。このように、表示部材の周囲に十分な空きスペースがない場合、印刷装置の本体に対して表示部材をガタツキなく取り付けることが難しいという問題点がある。
【０００５】
又、表示部材の表示制御をプリント基板によって実行するために、表示部材の周辺にプリント基板が配置され、且つ、表示部材とプリント基板との間がケーブルによって接続される場合がある。この場合、プリント基板がケーブルに接触し、ケーブルを破損させる可能性があるという問題点がある。
【０００６】
本発明の目的は、表示部材の周囲に十分な空きスペースがない場合でも、本体に対して表示部材をガタツキなく適切に取り付けることが可能であり、且つ、表示部材に接続されるケーブルの破損を抑制できる印刷装置を提供することである。
【課題を解決するための手段】
【０００７】
本発明に係る印刷装置は、筐体と、前記筐体の内部で固定されたプリント基板と、情報を表示可能な表示部材と、前記プリント基板と前記表示部材とを繋ぐケーブルと、前記プリント基板の前記ケーブルが繋がれた面に固定され、前記プリント基板のうち前記表示部材側の周縁から前記表示部材側へ突出する突出部を有する板状部材と、を備え、前記突出部は、前記表示部材の側面と接触して前記表示部材を付勢する付勢部と、前記ケーブルと、前記プリント基板の前記表示部材側の周縁との間に配置されたガード部と、を有することを特徴とする。
【０００８】
本発明の印刷装置において、板状部材の付勢部は、表示部材に付勢力を付加できる。ここで、板状部材は、プリント基板に固定されるので、板状部材を固定するための多くの空きスペースを、表示部材の周囲に設ける必要がない。このため、印刷装置は、表示部材の周囲に十分な空きスペースがない場合でも、表示部材を筐体に適切に付勢できる。又、プリント基板と表示部材とを繋ぐケーブルと、プリント基板の周縁との間には、ガード部が配置される。従って、プリント基板の周縁の角部にケーブルが接触することによってケーブルが破損することを抑制できる。
【０００９】
本発明において、前記付勢部における、前記表示部材側の周端から最も離隔した部分から、前記表示部材側の周端までの間の距離は、第１距離であり、前記ガード部における前記表示部材側の周端から最も離隔した部分から、前記表示部材側の周端までの間の距離は、前記第１距離よりも短い第２距離であってもよい。この場合、板状部材は、付勢部とガード部とのそれぞれの間の部分に、ケーブルを通過させる領域を形成させることができる。このため、印刷装置は、付勢部によって表示部材に付勢力を付与しつつ、板状部材がケーブルの邪魔になることを抑制できる。
【００１０】
本発明において、前記付勢部は、前記プリント基板に沿って延びる第１仮想平面と交差する第２仮想平面に沿って延びる部分である曲折部を有してもよい。この場合、付勢部は、曲折部によって付勢力を効率的に発生させることができる。
【００１１】
本発明において、前記付勢部は、前記ガード部を挟んで対向する一方側付勢部及び他方側付勢部を有してもよい。この場合、板状部材は、一方側付勢部及び他方側付勢部によって表示部材に付勢力を均一に付加できる。従って、印刷装置は、表示部材を更に適切に付勢できる。
【００１２】
本発明において、前記付勢部は、前記表示部材側に延びる延設部を更に有し、前記曲折部は、前記延設部のうち前記表示部材側の端部に設けられてもよい。この場合、板状部材は、表示部材に曲折部を接近させることができる。従って板状部材は、表示部材に付勢力を効率的に付加できる。
【００１３】
本発明において、少なくとも前記ガード部は、樹脂で形成されてもよい。この場合、ガード部にケーブルが接触したときに、ガード部がケーブルを傷つけてしまうことを抑制できる。
【００１４】
本発明において、前記ガード部が湾曲してもよい。この場合、ガード部にケーブルが接触したときに、ガード部がケーブルを傷つけてしまうことを更に適切に抑制できる。
【００１５】
本発明において、前記板状部材は、前記プリント基板の前記ケーブルが繋がれた面に固定される固定部を更に有し、前記ケーブルは、前記プリント基板の前記ケーブルが繋がれた面のうち、前記固定部に対して前記ガード部側と反対側の部分に繋がれてもよい。この場合、板状部材は、プリント基板にケーブルが接触することを、ガード部によって適切に抑制できる。
【図面の簡単な説明】
【００１６】
【図１】テーププリンタ１を前方且つ下方右側方から見た斜視図である。
【図２】テーププリンタ１を後方且つ上方左側方から見た斜視図である。
【図３】前筐体２１を後方から見た平面図である。
【図４】図３のIV−IV線における矢視方向断面図である。
【図５】板状部材６を後方且つ上方右側から見た斜視図である。
【図６】プリント基板４に固定された板状部材６（外力が加わっていない状態）を後方から見た平面図である。
【図７】プリント基板４に固定された板状部材６（外力が加わった状態）を後方から見た平面図である。
【図８】図３のIV−IV線における矢視方向断面図のうち、板状部材６周辺を拡大した図である。
【図９】第１変形例における固定部材６Ａを後方且つ上方右側から見た斜視図である。
【図１０】第２変形例における固定部材６Ｂを後方から見た平面図である。
【図１１】第３変形例における固定部材６Ｃを後方から見た平面図である。
【発明を実施するための形態】
【００１７】
以下、本発明を具体化した一実施形態について、図面を参照して説明する。なお、参照する図面は、本発明が採用しうる技術的特徴を説明するために用いられるものである。図示された装置の構成は、その形態のみに限定する趣旨ではなく、単なる説明例である。図１〜図４を参照し、テーププリンタ１の概略構成について説明する。以下の説明では、図１の右上側、左下側、右下側、左上側、上側、下側を、それぞれ、テーププリンタ１の上側、下側、右側、左側、前側、後側と定義する。
【００１８】
テーププリンタ１は、着脱自在なテープカセット（図示略）を装着し、テープカセットに収容されたテープに文字、数字、図形等のキャラクタを印刷することが可能な印刷装置である。テープは、例えば、一方の面が加熱によって発色する印刷面であり、他方の面に接着剤が塗布されて剥離紙が貼り付けられたサーマルタイプの印刷媒体である。
【００１９】
図１、図２に示すように、テーププリンタ１は筐体２を備える。筐体２は、平面視、上下方向が長い略矩形状である。筐体２は、前後方向に厚みを有し、角部が丸みを帯びた箱状である。筐体２は樹脂製である。筐体２は、前筐体２１、後筐体２２、及び、カバー２３（図２参照）を備える。前筐体２１は、筐体２の前壁、上壁、下壁、及び、左右の側壁の前側部分を含む。後筐体２２は、左右の側壁の後側部分、及び、後壁を含む。前筐体２１内には、後述するキーパッド３、プリント基板４、液晶ディスプレイ（以下、「ＬＣＤ」という。）５（図４参照）が組み付けられる。後筐体２２内には、印刷機構（図示略）、切断機構（図示略）等が組み付けられる。図２に示すように、カバー２３は、後筐体２２の後壁に取り外し可能に取り付けられる。筐体２は、前筐体２１と、カバー２３が取り付けられた状態の後筐体２２とを上下方向に組み合わせて箱状に構成される。
【００２０】
図１に示すように、前筐体２１は、入力部分２１Ａ及び表示部分２１Ｂを有する。入力部分２１Ａは、前筐体２１の前壁のうち、上下方向の中央よりも上寄りの位置から下端までの部分である。入力部分２１Ａには、前後方向に貫通する複数の穴部２５が形成される。複数の穴部２５のそれぞれは、角が湾曲した矩形状である。前筐体２１内に組み付けられるキーパッド３は、複数のキー部３１、及び、連結部３２（図４参照）を有する。複数のキー部３１は、複数の穴部２５に対して前筐体２１の内側から挿通し、前筐体２１の外側に露出する。連結部３２は、前筐体２１の内側で、複数のキー部３１の後端部を連結する。テーププリンタ１は、複数のキー部３１によって種々の指示の入力を受け付ける。
【００２１】
表示部分２１Ｂは、前筐体２１の前壁のうち入力部分２１Ａよりも上側の部分である。表示部分２１Ｂには、透明又は半透明な樹脂で板状に形成された窓部２７が設けられる。表示部分２１Ｂのうち窓部２７の後側には、前後方向に貫通する矩形状の穴部２８（図４参照）が形成される。穴部２８の下側にＬＣＤ５（図３、図４参照）が配置される。ＬＣＤ５の前面５Ａ（図４参照）に表示される情報は、窓部２７を介して筐体２の外部から視認可能である。
【００２２】
図２に示すように、後筐体２２は、カバー２３を取り外した状態で露出する部分に、凹部状のカセット装着部（図示略）を有する。カセット装着部にはテープカセットが装着される。後筐体２２内に組み付けられた印刷機構（図示略）は、サーマルヘッド（図示略）を有する。サーマルヘッドは、複数の発熱素子を有する。テーププリンタ１は、発熱素子への通電を制御し、個々の発熱素子を個別に発熱させることで、テープカセットから引き出されたテープの印刷面にキャラクタを印刷する。
【００２３】
図１、図２に示すように、筐体２は、右側の側壁の上部にカットレバー２４を備える。カットレバー２４は、左上の部分が後筐体２２に軸支され、右上の部分が、上下左右平面を円弧に沿って移動する。カットレバー２４は、後筐体２２内に組み付けられた切断機構（図示略）に連結する。切断機構は、印刷機構によって印刷されたテープを切断する。図２に示すように、筐体２は、上壁のうちカットレバー２４の左側に排出溝２６に備える。排出溝２６は、印刷機構によって印刷されたテープを、筐体２の外部へ排出する。
【００２４】
図３に示すように、ＬＣＤ５は、平面視にて左右方向に長い矩形状である。ＬＣＤ５の前面５Ａ（図４参照）には液晶表示素子が配置される。図４に示すように、ＬＣＤ５の前面５Ａは、前筐体２１に形成された穴部２８に接触する。ＬＣＤ５の上下方向及び左右方向のそれぞれの長さは、穴部２８の上下方向及び左右方向のそれぞれの長さよりも大きい。
【００２５】
図３、図４に示すように、ＬＣＤ５の上側に突出部２８Ａが配置される。突出部２８Ａは、前筐体２１の前壁の後側面から後方に突出する。突出部２８Ａは板状である。突出部２８Ａは、穴部２８の上側の端部と平行に左右方向に延びる。図３に示すように、突出部２８Ａの下側に、突出部２８１Ａ、２８２Ａが配置される。突出部２８１Ａ、２８２Ａは、前筐体２１の前壁の後側面から後方に突出する。突出部２８１Ａ、２８２Ａは、前後方向に延びる円柱状である。突出部２８１Ａは、突出部２８Ａの右端近傍に配置され、突出部２８２Ａは、突出部２８Ａの左端近傍に配置される。
【００２６】
図３、図４に示すように、ＬＣＤ５の左側に突出部２８Ｂが配置される。突出部２８Ｂは、前筐体２１の前壁の後側面から後方に突出する。突出部２８Ｂは板状である。突出部２８Ｂは、穴部２８の左側の端部と平行に上下方向に延びる。ＬＣＤ５の左端部、且つ、ＬＣＤ５の後面５Ｂよりも後側に、突出部２８Ｃ、２８Ｄが配置される。突出部２８Ｃは、突出部２８Ｂの上下方向中央よりも上側から右方に延びる。突出部２８Ｄは、突出部２８Ｂの上下方向中央よりも下側から右方に延びる。突出部２８Ｂの右側、且つ、突出部２８Ｃ、２８Ｄのそれぞれの前側に、突出部（図示略）が配置される。それぞれの突出部は、前筐体２１の前壁の後側面から、突出部２８Ｃ、２８Ｄに向けて後方に突出する。
【００２７】
図３に示すように、ＬＣＤ５の右端部、且つ、ＬＣＤ５の後面５Ｂよりも後側に、突出部２８Ｅが配置される。突出部２８Ｅは板状部材である。突出部２８Ｅは、後述する突出部２９の後側を通過して左右方向に延びる。突出部２８Ｅは、突出部２９の前後方向の移動を規制する。突出部２８Ｅの右端部はネジ２８１で固定される。
【００２８】
図３に示すように、ＬＣＤ５の右側に突出部２９が配置される。突出部２９は、第１部分２９Ａ、及び、第２部分２９Ｂを有する。第１部分２９Ａは、突出部２８Ａの右端から下側に向けて延びる。第１部分２９Ａは、前筐体２１の前壁の後側面から後方に離隔する。第２部分２９Ｂは、第１部分２９Ａの下端部から左方に向けて延びる。第２部分２９Ｂの前面の一部は、前方に突出する。
【００２９】
突出部２９の第２部分２９Ｂのうち前方に突出する部分は、ＬＣＤ５の右端５Ｄに接触する。突出部２９は、第１部分２９Ａの弾性力によってＬＣＤ５を左方に付勢する。ＬＣＤ５の左端は、突出部２８Ｂの右側且つ突出部２８Ｃ、２８Ｄの前側に設けられた突出部（図示略）に右側から接触する。ＬＣＤ５は、左右両側から挟まれることによって、左右方向の位置が固定される。又、ＬＣＤ５の右端は、前筐体２１及び突出部２９の第２部分２９Ｂによって前後両側から挟まれる。ＬＣＤ５の左端は、前筐体２１及び突出部２８Ｃ、２８Ｄによって前後両側から挟まれる。これによって、ＬＣＤ５の前後方向の位置は固定される。
【００３０】
図３、図４に示すように、プリント基板４は、ＬＣＤ５の下側、且つ、キーパッド３の後側に配置される。図３に示すように、プリント基板４は、平面視にて、上下方向に長い矩形状である。プリント基板４の材料は、ガラスエポキシ、紙フェノール、コンポジットである。プリント基板４の左右方向の長さは、ＬＣＤ５の左右方向の長さよりも長い。図４に示すように、プリント基板４の前面４Ａは、キーパッド３の連結部３２の下面と対向する。又、プリント基板４の前面４Ａは、ＬＣＤ５の後面５Ｂよりも後側に配置される。プリント基板４の厚さは１．６ｍｍであり、プリント基板４の前面４Ａと、ＬＣＤ５の後面５Ｂとの間の前後方向の間隔は１．３ｍｍである。
【００３１】
図３に示すように、プリント基板４の上端４１には凹部が形成される。詳細には次の通りである。プリント基板４の上端４１を左右方向に略３等分したそれぞれの分割領域を、右側から順に「第１分割領域」「第２分割領域」「第３分割領域」とした場合、第２分割領域は下方に凹む。又、第２分割領域を左右方向に略３等分したそれぞれの分割領域を、右側から順に「第４分割領域」「第５分割領域」「第６分割領域」とした場合、第５分割領域は下方に更に凹む。以下、プリント基板４の上端４１のうち、第１分割領域、第４分割領域、第５分割領域、第６分割領域、及び、第３分割領域に対応する部分を、「上端４１Ａ」、「上端４１Ｂ」、「上端４１Ｃ」、「上端４１Ｄ」、及び、「上端４１Ｅ」という。
【００３２】
プリント基板４の上端４１Ａ、４１Ｅは、それぞれ、ＬＣＤ５の下端５Ｅの下側近傍に配置される。プリント基板４のうち、上端４１Ａの下側、上端４１Ｄの下側、及び、プリント基板４の下端４２の上側且つ左右方向中央よりも左側には、前後方向に貫通する穴部が形成されている。ネジ４６Ａ、４６Ｂ、ネジ４６Ｃは、これらの穴に後側から挿通し、前筐体２１の前壁の後側面に設けられたネジ穴に螺入する。プリント基板４は、ネジ４６Ａ、４６Ｂ、４６Ｃによって、前筐体２１に固定される。プリント基板４の後面４Ｂには、ＣＰＵ等が実装される。ＣＰＵは、ＬＣＤ５の前面５Ａ（図４参照）の液晶表示素子に情報を表示させるための制御を司る。
【００３３】
板状部材６は、プリント基板４の後面４Ｂのうち、左右方向略中央、且つ、上端４１Ｃの下側部分に固定される。板状部材６は、ＬＣＤ５の左右方向中央の下側に配置される。図５に示すように、板状部材６は板状の部材である。板状部材６の厚さは０．２ｍｍであり、ポリカーボネート、ポリエチレン、ポリプロピレン、ポリエステルで形成されている。板状部材６は弾性を有する。板状部材６は、固定部６０、及び、複数の突出部６１を有する。なお、図５では、外力が加わっていない状態の板状部材６が示されている。
【００３４】
図６に示すように、固定部６０は、板状部材６のうち、プリント基板４の上端４１Ｃの下側部分と前後方向に重畳する部分に対応する。固定部６０の形状は、平面視にて、左右方向に長い略矩形状である。固定部６０の左右方向の長さは、１３．６ｍｍである。固定部６０の平面は前後方向を向く。固定部６０の前面は、プリント基板４の後面４Ｂの上端４１Ｃの下側部分に、両面テープによって貼付される。以下、固定部６０に沿って延びる仮想的な平面であって、前後方向と直交する仮想的な平面を、「第１仮想平面」という。なお、図６では、図５と同様、外力が加わっていない状態の板状部材６が示されている。一方、後述する図７では、外力が加わった状態の板状部材６が示されている。
【００３５】
複数の突出部６１は、固定部６０から上方に突出する。このため、複数の突出部６１は、プリント基板４に対して上端４１Ｃよりも上側に突出する。複数の突出部６１は、付勢部６２、６３、及び、ガード部６４を有する。付勢部６２は、固定部６０の上端の右端部から上方に向けて突出する。付勢部６３は、固定部６０の上端の左端部から上方に向けて突出する。ガード部６４は、固定部６０の上端のうち、左右方向中央部から上方に向けて突出する。付勢部６２、６３は、ガード部６４を挟んで対向する。
【００３６】
図５に示すように、付勢部６２、６３は同一形状を有する。付勢部６２は、上下方向に長い矩形状の板状部材が一部で曲折した形状を有する。付勢部６２の左右方向の長さは、３．３５ｍｍである。付勢部６２は、延設部６２Ａ、曲折部６２Ｂ、６２Ｃを有する。延設部６２Ａは、固定部６０に沿って延びる第１仮想平面に沿って、上方に延びる。延設部６２Ａの上下方向の長さは、６．５ｍｍである。曲折部６２Ｂは、延設部６２Ａの上端から、上斜め下方に湾曲しながら延びる。曲折部６２Ｃは、曲折部６２Ｂの上端から、上斜め前方向に直線状に延びる。曲折部６２Ｃの延設方向の長さは、４．３ｍｍである。又、固定部６０に沿って延びる第１仮想平面と、曲折部６２Ｃの上端との間の前後方向の長さは、ＬＣＤ５の前面５Ａ（図４参照）とプリント基板４の後面４Ｂ（図４参照）との間の長さよりも短い。延設部６２Ａと曲折部６２Ｃとの間のなす角度の鋭角は、１２０度であり、９０度よりも大きい。以下、曲折部６２Ｃに沿って延びる仮想的な平面を、「第２仮想平面」という。第２仮想平面は、第１仮想平面と交差する。
【００３７】
付勢部６３は、延設部６３Ａ、曲折部６３Ｂ、６３Ｃを有する。延設部６３Ａ、曲折部６３Ｂ、６３Ｃは、それぞれ、付勢部６２の延設部６２Ａ、曲折部６２Ｂ、６２Ｃに対応する。
【００３８】
図６に示すように、外力が加わっていない状態の付勢部６２、６３の第１仮想平面に沿った上下方向の長さＬ１は、９．４ｍｍである。長さＬ１は、プリント基板４の上端４１Ｃと、曲折部６２Ｃ、６３Ｃのそれぞれの上端との間の第１仮想平面に沿った上下方向の長さに対応する。曲折部６２Ｃ、６３Ｃのそれぞれの上端は、外力が加わっていない状態の付勢部６２、６３のうち、プリント基板４の上端４１Ｃから最も離隔した位置に対応する。
【００３９】
ガード部６４は、板状部材６のうち、プリント基板４の上端４１Ｃよりも上側、且つ、付勢部６２、６３によって左右両側から挟まれた部分に対応する。ガード部６４の左右方向の長さ、言い換えれば、付勢部６２、６３のそれぞれの左右内側の間の長さは、６．９ｍｍである。ガード部６４の第１仮想平面に沿った上下方向の長さＬ２は、０．５ｍｍである。長さＬ２は、プリント基板４の上端４１Ｃと、ガード部６４の上端との間の第１仮想平面に沿った上下方向の長さに対応する。ガード部６４の上端は、ガード部６４のうち、プリント基板４の上端４１Ｃから最も離隔した位置に対応する。
【００４０】
図３、図４、図７、図８に示すように、板状部材６が固定された状態のプリント基板４、及び、ＬＣＤ５が、前筐体２１に組み付けられた場合、板状部材６の付勢部６２、６３の曲折部６２Ｃ、６３Ｃの上端は、ＬＣＤ５の下側の側面５Ｃ（図４、図８参照）に接触する。板状部材６は、延設部６２Ａ、６３Ａと曲折部６２Ｃ、６３Ｃとのなす角度の鋭角がより小さくなる向きに変形する。延設部６２Ａ、６３Ａと曲折部６２Ｃ、６２Ｃとのなす角度の鋭角は、９０度よりも大きく、１２０度よりも小さくなる。図７に示すように、板状部材６の変形後における付勢部６２、６３の第１仮想平面に沿った上下方向の長さＬ３は、長さＬ２よりも大きく、且つ、図６に示す長さＬ１よりも小さくなり、６．９５ｍｍとなる。なお、長さＬ３は、プリント基板４の上端４１Ｃと、ＬＣＤ５の下側の側面５Ｃとの間の第１仮想平面に沿った上下方向の長さに対応する。
【００４１】
板状部材６は弾性を有する。このため、板状部材６が上記のように変形した場合、元に戻ろうとする弾性力は、曲折部６２Ｃ、６３ＣからＬＣＤ５に対して上向きに付加される。図３に示すように、ＬＣＤ５は、板状部材６の弾性力によって上方に移動し、突出部２８Ａの下側に設けられた突出部２８１Ａ、２８２Ａに押し当てられる。ＬＣＤ５は、突出部２８１Ａ、２８２Ａと板状部材６とによって、上下両側から挟まれる。これによって、ＬＣＤ５の上下方向の位置は固定される。
【００４２】
図３、図７に示すように、フレキシブルプリント基板（以下、「ＦＰＣ」という。）６６は、ＬＣＤ５とプリント基板４とを繋ぐ。ＦＰＣ６６は、プリント基板４に実装されたＣＰＵから出力される電気信号を、ＬＣＤ５に伝達させる。ＦＰＣ６６の被覆の材料は、ポリイミドである。ＦＰＣ６６の左右方向の長さは、４．８ｍｍである。ＦＰＣ６６の左右方向の長さは、上端４１Ｃの左右方向の長さの略半分であり、板状部材６のガード部６４の左右方向の長さよりも僅かに短い。ＦＰＣ６６の下端は、プリント基板４の後面４Ｂのうち、板状部材６の固定部６０が貼付される部分の下側に、コネクタ４６によって接続される。図８に示すように、ＦＰＣ６６の上端は、ＬＣＤ５の前面５Ａのうち下端近傍に接続される。
【００４３】
図３、図７に示すように、ＦＰＣ６６は、コネクタ４６から、板状部材６の固定部６０及びガード部６４の後側を、下側から上側に向けて延びる。ＦＰＣ６６は、ガード部６４の上端よりも上側に至る。
【００４４】
図８に示すように、ＦＰＣ６６は、ガード部６４の上端よりも上側で前側に湾曲する。ＦＰＣ６６は、ガード部６４の上端の上側、且つ、付勢部６２、６３で左右方向から挟まれた部分を、後側から前側に向けて通過する。即ち、ＦＰＣ６６は、板状部材６のガード部６４の上端に対して、プリント基板４の上端４１Ｃと反対側を通過する。ＦＰＣ６６は、プリント基板４の前面４Ａよりも前側に至る。
【００４５】
ＦＰＣ６６は、プリント基板４の前面４Ａよりも前側で上側に湾曲する。ＦＰＣ６６は上側に延び、ＬＣＤ５の前面５Ａのうち下端近傍に至る。
【００４６】
以上説明したように、テーププリンタ１において、板状部材６の付勢部６２、６３は、ＬＣＤ５に上向きの付勢力を付加できる。ここで、板状部材６はプリント基板４に固定されるので、板状部材６を固定するための多くの空きスペースを、ＬＣＤ５の周囲に設ける必要がない。このため、テーププリンタ１は、ＬＣＤ５の周囲に十分な空きスペースがない場合でも、ＬＣＤ５を、前筐体２１の突出部２８１Ａ、２８２Ａに適切に付勢できる。これによって、筐体２に対してＬＣＤ５を適切に保持できる。又、テーププリンタ１において、プリント基板４とＬＣＤ５とを繋ぐＦＰＣ６６と、プリント基板４の上端４１Ｃとの間には、ガード部６４が配置される。従って、プリント基板４の上端４１Ｃの角部にＦＰＣ６６が接触することによってＦＰＣ６６が破損することを抑制できる。
【００４７】
板状部材６の付勢部６２、６３のそれぞれの上下方向の長さＬ１（外力が加わっていない状態）Ｌ３（外力が加わった状態）は、ガード部６４の上下方向の長さＬ３よりも長い。このため、ガード部６４の上側、且つ、付勢部６２、６３とで挟まれた部分に、ＦＰＣ６６を通過させることができる。このため、テーププリンタ１は、ＦＰＣ６６がプリント基板４に対して交差するように配置された場合でも、板状部材６がＦＰＣ６６の邪魔になることを抑制できる。
【００４８】
付勢部６２は曲折部６２Ｂ、６２Ｃを有し、付勢部６３は曲折部６３Ｂ、６３Ｃを有する。曲折部６２Ｂ、６２Ｃ、６３Ｂ、６３Ｃは、外力が加わった場合に変形し易いので、変形した形状を元に戻そうとする付勢力が発生し易い。このため、付勢部６２、６３は、曲折部６２Ｂ、６２Ｃ、６３Ｂ、６３Ｃにおいて発生した付勢力をＬＣＤ５に付加することによって、ＬＣＤ５を適切に付勢できる。
【００４９】
付勢部６２、６３は同一形状を有し、ガード部６４を挟んで対向する。この場合、板状部材６は、付勢部６２、６３によってＬＣＤ５に付勢力を左右均一に付加することができる。従って、テーププリンタ１は、ＬＣＤ５を更に適切に付勢できる。
【００５０】
付勢部６２は延設部６２Ａを有し、付勢部６３は延設部６３Ａを有する。この場合、板状部材６は、延設部６２Ａ、６３Ａの上下方向の長さ分、曲折部６２Ｂ、６２Ｃ、６３Ｂ、６３ＣをＬＣＤ５に接近させることができる。このため板状部材６は、ＬＣＤ５に付勢力を効率的に付加することができる。
【００５１】
板状部材６はポリカーボネートで形成され、ＦＰＣ６６の被膜の材料であるポリイミドよりも柔らかい。このため、ガード部６４にＦＰＣ６６が接触したときに、ガード部６４がＦＰＣ６６を傷つけてしまうことを抑制できる。
【００５２】
ＦＰＣ６６をプリント基板４に接続させるためのコネクタ４６は、プリント基板４の後面４Ｂのうち板状部材６の下側に配置される。ＦＰＣ６６は、コネクタ４６から上方に延び、板状部材６の固定部６０及びガード部６４の後方を通過する。これによって、ガード部６４に対してプリント基板４の上端４１Ｃと反対側にＦＰＣ６６を容易に配置させることができる。従って、テーププリンタ１は、プリント基板４の上端４１ＣにＦＰＣ６６が接触することを、ガード部６４によって適切に抑制できる。
【００５３】
なお、本発明は上記実施形態に限定されず、種々の変更が可能である。図９〜図１１を参照し、板状部材６の変形例（板状部材６Ａ、６Ｂ、６Ｃ）について説明する。
【００５４】
図９を参照し、第１変形例における板状部材６Ａについて説明する。板状部材６Ａは、上記実施形態における板状部材６（図５等参照）におけるガード部６４（図５等参照）の代わりに、ガード部６４Ａを有するという点で、板状部材６と異なる。板状部材６Ａの固定部６０及び付勢部６２、６３については、板状部材６と同一である。以下、板状部材６Ａに関して、板状部材６と異なるガード部６４Ａについて詳細に説明する。他の部分については、板状部材６と同一符号を付し、説明を省略する。
【００５５】
図９に示すように、板状部材６Ａのガード部６４Ａは、延設部６４１Ａ、曲折部６４１Ｂ、及び、曲折部６４１Ｃを有する。延設部６４１Ａは、固定部６０の上端から、固定部６０に沿って延びる第１仮想平面に沿って上方に延びる。延設部６４１Ａの前後方向の長さは０．５ｍｍである。曲折部６４１Ｂは、延設部６４１Ａの上端から、上斜め前方に湾曲しながら延びる。曲折部６４１Ｃは、曲折部６４１Ｂの上端から前方向に直線状に延びる。曲折部６４１Ｃの延設方向の長さは１．３ｍｍである。延設部６４１Ａと曲折部６４１Ｃとの間のなす角度の鋭角は９０度である。ガード部６４Ａの第１仮想平面に沿った上下方向の長さは、付勢部６２、６３のそれぞれの第１仮想平面に沿った上下方向の長さよりも短い。このため、ガード部６４Ａの曲折部６４１Ｃの上端は、付勢部６２、６３の曲折部６２Ｃ、６３Ｃの上端よりも、下側に配置される。
【００５６】
板状部材６Ａの固定部６０の前面は、プリント基板４の後面４Ｂの上端４１Ｃ（図３参照）の下側部分に両面テープによって貼付される。このとき、ガード部６４Ａの延設部６４１Ａは、上端４１Ｃよりも上側に配置され、曲折部６４１Ｃは、上端４１Ｃの上側を前後方向に通過する。ＦＰＣ６６は、固定部６０及びガード部６４Ａの延設部６４１Ａの後側を、下方から上方に向けて通過する。又、ＦＰＣ６６は、曲折部６４１Ｂ、６４１Ｃの上側を、後方から前方に向けて通過する。ガード部６４Ａは、ＦＰＣ６６とプリント基板４との間に挟まれることになるので、ＦＰＣ６６がプリント基板４に接触することを抑制できる。特に、ガード部６４Ａの曲折部６４１Ｂ、６４１Ｃは、プリント基板４の上端４１ＣにＦＰＣ６６が接触することを適切に抑制できる。又、曲折部６４１Ｂは湾曲しているので、ＦＰＣ６６が曲折部６４１Ｂに接触したときに、曲折部６４１ＢがＦＰＣ６６を傷つけてしまうことを更に適切に抑制できる。
【００５７】
図１０を参照し、第２変形例における板状部材６Ｂについて説明する。板状部材６Ｂは、上記実施形態における板状部材６（図７等参照）における固定部６０の代わりに固定部６０Ｂを有する点、及び、ガード部６４の代わりにガード部６４Ｂを有する点で、板状部材６と異なる。板状部材６Ｂの付勢部６２、６３については、板状部材６と同一である。以下、板状部材６Ｂに関して、板状部材６と異なる固定部６０Ｂ及びガード部６４Ｂについて詳細に説明する。他の部分については、板状部材６と同一符号を付し、説明を省略する。
【００５８】
板状部材６Ｂは、ＬＣＤ５の左右方向略中央の下側に配置される。板状部材６ＢとＬＣＤ５とのそれぞれの左右中央の左右方向の位置は、略一致する。なお、図１０では、外力が加わった状態の板状部材６Ｂが示されている。
【００５９】
固定部６０Ｂは、板状部材６Ｂのうち、プリント基板４の上端４１の下側部分と前後方向に重畳する部分に対応する。固定部６０Ｂの形状は、平面視にて、左右方向に長い略矩形状である。固定部６０Ｂの左右方向の長さは２７．３ｍｍであり、板状部材６（図７等参照）の固定部６０の左右方向の長さよりも長い。固定部６０Ｂの平面は前後方向を向く。固定部６０Ｂの前面は、プリント基板４の後面４Ｂの上端４１の下側部分に、両面テープによって貼付される。以下、固定部６０Ｂに沿って延びる仮想的な平面であって、前後方向と直交する仮想的な平面を、板状部材６の場合と同様「第１仮想平面」という。
【００６０】
ガード部６４Ｂは、固定部６０Ｂから上方に向けて、第１仮想平面と平行に延びる。ガード部６４Ｂは、板状部材６Ｂのうち、プリント基板４の上端４１よりも上側、且つ、付勢部６２、６３によって左右両側から挟まれた部分に対応する。ガード部６４の左右方向の長さ、言い換えれば、付勢部６２、６３のそれぞれの左右内側の間の長さは、２０．６ｍｍであり、板状部材６（図７等参照）のガード部６４の左右方向の長さよりも長い。ガード部６４の第１仮想平面に沿った上下方向の長さは０．５ｍｍであり、板状部材６のガード部６４の上下方向の長さと同一である。
【００６１】
ＦＰＣ６６は、固定部６０Ｂ及びガード部６４Ｂの後側、且つ、固定部６０Ｂ及びガード部６４Ｂの左右中央よりも左側を、上下方向に通過する。ＦＰＣ６６の下端は、プリント基板４の後面４Ｂのうち、板状部材６の固定部６０Ｂが貼付される部分の下側に、コネクタ４６によって接続される。ＦＰＣ６６の上端は、ＬＣＤ５の前面５Ａのうち下端近傍、且つ、ＬＣＤ５の左右中央よりも左側の部分に接続される。
【００６２】
板状部材６Ｂの付勢部６２、６３の曲折部６２Ｃ、６３Ｃの上端は、ＬＣＤ５の下側の側面５Ｃ（図４参照）に接触する。板状部材６Ｂは、延設部６２Ａ、６３Ａと曲折部６２Ｃ、６３Ｃとのなす角度の鋭角がより小さくなる向きに変形する。変形に応じて生じる弾性力は、曲折部６２Ｃ、６３ＣからＬＣＤ５に対して上向きに付加される。ＬＣＤ５は、板状部材６の弾性力によって上方に移動する。ＬＣＤ５は、板状部材６Ｂと突出部２８１Ａ、２８２Ａ（図３参照）とによって上下両側から挟まれる。これによって、ＬＣＤ５の上下方向の位置は固定される。
【００６３】
以上の第２変形例の場合、ＬＣＤ５と板状部材６Ｂとで、それぞれの左右中央の左右方向の位置は略一致する。このため、付勢部６２、６３は、ＬＣＤ５に対して左右均一に付勢力を付加できる。又、板状部材６Ｂは、板状部材６と比較して、固定部６０Ｂ及びガード部６４Ｂの左右方向の長さが長い。このため図１０のように、ＬＣＤ５に対するＦＰＣ６６の接続位置が、左右中央から左右何れかの側にずれている場合でも、板状部材６Ｂは、ＬＣＤ５がプリント基板４に接触することをガード部６４Ｂによって抑制しつつ、ＬＣＤ５に対して左右均一に付勢力を付加できる。
【００６４】
図１１を参照し、第３変形例における板状部材６Ｃについて説明する。板状部材６Ｃは、板状部材６Ｄ、６Ｅを有する。板状部材６Ｄ、６Ｅの形状は左右対称である。以下、板状部材６Ｄの形状について詳細に説明し、板状部材６Ｅの形状の説明は簡略化する。なお、図１１では、外力が加わった状態の板状部材６Ｃが示されている。
【００６５】
板状部材６Ｄは、固定部６０Ｄ、付勢部６２、及び、ガード部６４Ｄを有する。固定部６０Ｄは、板状部材６Ｄのうち、プリント基板４の上端４１の下側部分と前後方向に重畳する部分に対応する。固定部６０Ｄの形状は、平面視にて、左右方向に長い略矩形状である。固定部６０Ｄの左右方向の長さは１４ｍｍである。固定部６０Ｄの平面は前後方向を向く。固定部６０Ｄの前面は、プリント基板４の後面４Ｂの上端４１の下側部分のうち、ＬＣＤ５の右端部近傍の下側に、両面テープによって貼付される。以下、固定部６０Ｄに沿って延びる仮想的な平面であって、前後方向と直交する仮想的な平面を、板状部材６の場合と同様「第１仮想平面」という。
【００６６】
付勢部６２は、固定部６０Ｄの右端から上方に向けて延びる。付勢部６２は、延設部６２Ａ、曲折部６２Ｂ、６２Ｃを有する。付勢部６２の形状、及び、固定部６０Ｄとの位置関係は、板状部材６（図７等参照）と同一である。以下、曲折部６２Ｃに沿って延びる仮想的な平面を、板状部材６の場合と同様「第２仮想平面」という。第２仮想平面は、第１仮想平面と交差する。
【００６７】
ガード部６４Ｄは、固定部６０Ｄから上方に向けて、第１仮想平面と平行に延びる。ガード部６４Ｄは、板状部材６Ｄのうち、プリント基板４の上端４１よりも上側、且つ、付勢部６２の左側の部分に対応する。ガード部６４Ｄの第１仮想平面に沿った上下方向の長さは０．５ｍｍであり、板状部材６のガード部６４の上下方向の長さと同一である。
【００６８】
板状部材６Ｅは、固定部６０Ｅ、付勢部６３、及び、ガード部６４Ｅを有する。固定部６０Ｅ、付勢部６３、及び、ガード部６４Ｅは、それぞれ、板状部材６Ｄの固定部６０Ｄ、付勢部６２、及び、ガード部６４Ｄに対応する。付勢部６３は、固定部６０Ｅの左端から上方に向けて延びる。固定部６０Ｅの前面は、プリント基板４の後面４Ｂの上端４１の下側部分のうち、ＬＣＤ５の左端部近傍の下側に、両面テープによって貼付される。板状部材６Ｄ、６Ｅは、左右方向に離隔する。
【００６９】
ＦＰＣ６６は、固定部６０Ｅ及びガード部６４Ｅの後側を、上下方向に通過する。ＦＰＣ６６の下端は、プリント基板４の後面４Ｂのうち、板状部材６の固定部６０Ｅが貼付される部分の下側に、コネクタ４６によって接続される。ＦＰＣ６６の上端は、ＬＣＤ５の前面５Ａのうち下端近傍、且つ、ＬＣＤ５の左端部近傍に接続される。
【００７０】
板状部材６Ｄの付勢部６２の曲折部６２Ｃの上端は、ＬＣＤ５の下側の側面５Ｃ（図４参照）のうち右端部近傍に接触する。板状部材６Ｅの付勢部６３の曲折部６３Ｃの上端は、ＬＣＤ５の下側の側面５Ｃのうち左端部近傍に接触する。板状部材６Ｄ、６Ｅは、延設部６２Ａ、６３Ａと曲折部６２Ｃ、６３Ｃとのなす角度の鋭角がより小さくなる向きに変形する。変形に応じて生じる弾性力は、曲折部６２Ｃ、６３ＣからＬＣＤ５に対して上向きに付加される。ＬＣＤ５は、板状部材６の弾性力によって上方に移動する。ＬＣＤ５は、板状部材６Ｂと突出部２８１Ａ、２８２Ａ（図３参照）とによって上下両側から挟まれる。これによって、ＬＣＤ５の上下方向の位置は固定される。
【００７１】
以上の第３変形例の場合、ＬＣＤ５の左右両端部の何れかの近傍にＦＰＣ６６が接続される場合でも、板状部材６Ｃは、ＬＣＤ５がプリント基板４に接触することをガード部６４Ｄ、６４Ｅによって抑制しつつ、ＬＣＤ５に対して左右均一に付勢力を付加できる。又、第２変形例の場合と異なり、板状部材６Ｃは、板状部材６Ｄ、６Ｅに分割される。従って、板状部材が分割されない場合と比べて、プリント基板４に貼付される固定部の面積を小さくできる。従って、プリント基板４にデバイス等が実装されることによって板状部材を貼付可能な領域が小さい場合でも、板状部材６Ｃを用いることによって、ＬＣＤ５に付勢力を適切に付加できる。
【００７２】
なお、本発明は上記実施形態に限定されず、種々の変更が可能である。上記実施形態において、付勢部６２、６３は異なる形状であってもよい。付勢部６２、６３のうち何れか一方のみが、固定部６０から上方に延びていてもよい。この場合、付勢部６２、６３の何れか一方は、固定部６０の左右両端部の何れかから延びていてもよいし、左右中央から延びていてもよい。又、３つ以上の付勢部が固定部６０から上方に延びていてもよい。
【００７３】
上記実施形態では、付勢部６２、６３の前後方向の長さＬ１、Ｌ３は、ガード部６４の前後方向の長さＬ２よりも大きい。これに対し、長さＬ１、Ｌ３と長さＬ２とを同一長さとしてもよい。この場合、ガード部６４は、ＦＰＣ６６を前後方向に通すための前後方向に貫通した穴部を有していてもよい。
【００７４】
付勢部６２、６３は、それぞれ、延設部６２Ａ、６３Ａを有し、曲折部６２Ｂ、６３Ｂによって前方に曲折した。付勢部６２、６３は、全体的に曲折した形状を有していてもよい。又、例えば、付勢部６２、６３は、ガード部６４から上斜め前方向に直線状に延びていてもよい。
【００７５】
板状部材６の材質は、ポリカーボネートに限定されず、他の周知の様々な樹脂材料であってもよい。又、板状部材６は、ガード部６４のみが樹脂材料で形成されていてもよい。又、板状部材６は、周知の様々な金属材料であってもよい。
【００７６】
上記実施形態において、ＦＰＣ６６は、プリント基板４の後面４Ｂのうち板状部材６の下側にコネクタ４６によって接続された。これに対し、例えば、板状部材６の固定部６０には、上下方向に貫通する穴部が形成されていてもよい。ＦＰＣ６６は、この穴部を介してプリント基板４と接続されてもよい。プリント基板４とＬＣＤ５とを繋ぐ信号線はＦＰＣ６６に限定されず、他の周知の信号線であってもよい。
【００７７】
なお、テーププリンタ１は本発明の「印刷装置」の一例である。ＬＣＤ５は本発明の「表示部材」の一例である。プリント基板４の上端４１Ｃは本発明の「固定端」の一例である。ＦＰＣ６６は本発明の「ケーブル」の一例である。長さＬ１，Ｌ３は本発明の「第１距離」の一例である。長さＬ２は本発明の「第２距離」の一例である。付勢部６２、６３のうち一方は本発明の「一方側付勢部」の一例である。付勢部６２、６３のうち他方は本発明の「他方側付勢部」の一例である。
【符号の説明】
【００７８】
１        ：テーププリンタ
２        ：筐体
４        ：プリント基板
５        ：ＬＣＤ
６、６Ａ、６Ｂ、６Ｃ      ：板状部材
２１      ：前筐体
４１、４１Ａ、４１Ｂ、４１Ｃ、４１Ｄ、４１Ｅ    ：上端
４６      ：コネクタ
６０、６０Ｂ    ：固定部
６１      ：突出部
６２      ：付勢部
６２Ａ    ：延設部
６２Ｂ、６２Ｃ    ：曲折部
６３      ：付勢部
６３Ａ    ：延設部
６３Ｂ、６３Ｃ    ：曲折部
６４、６４Ａ、６４Ｂ    ：ガード部
６６      ：ＦＰＣ
２８１Ａ  ：突出部
２８２Ａ  ：突出部
６４１Ａ  ：延設部
６４１Ｂ、６４１Ｃ  ：曲折部
【図１】
2016104542.tif 000003
【図２】
2016104542.tif 000004
【図３】
2016104542.tif 000005
【図４】
2016104542.tif 000006
【図５】
2016104542.tif 000007
【図６】
2016104542.tif 000008
【図７】
2016104542.tif 000009
【図８】
2016104542.tif 000010
【図９】
2016104542.tif 000011
【図１０】
2016104542.tif 000012
【図１１】
2016104542.tif 000013